【手続補正書】
【提出日】平成16年11月15日(2004.11.15)
【手続補正１】
【補正対象書類名】特許請求の範囲
【補正対象項目名】全文
【補正方法】変更
【補正の内容】
【特許請求の範囲】
【請求項１】
ネットワーク接続を分類する方法であって、分類されるネットワーク接続（１２）の送信器（１０）および受信器（１１）の地理的座標が既知であり、
計算ユニット（３０）によって、ネットワーク接続の既知のデータ（５０００）に基づいて、１つまたは複数の距離ファクタ（２０１１）が決定され（３０１０）、決定可能な確率に割り当てられ、前記計算ユニット（３０）のデータ・キャリアに送信され、前記距離ファクタ（２０１１）が、空間距離に依存する実際のネットワーク接続長を表し、決定ネットワーク接続長が、実際のネットワーク長より短いかまたは長いかの前記決定可能な確率が、安全ファクタ（２０１２）によって確立されることと、
前記１つまたは複数の距離ファクタ（２０１１）、前記安全ファクタ（２０１２）、および分類される前記ネットワーク接続（１２）の前記送信器（１０）ならびに前記受信器（１１）の前記地理的座標に基づいて、実際のネットワーク接続長が、前記計算ユニット（３０）によって判定され（１０１０）、分類される前記ネットワーク接続（１２）に割り当てられ、前記計算ユニット（３０）のデータ・キャリアに送信されることと、
少なくとも１つの減衰分配ファクタ（２０２０）が、ネットワーク接続の既知のデータ（５０００）に基づいて決定され（３０２０）、前記計算ユニット（３０）のデータ・キャリアに送信され、前記少なくとも１つの減衰分配ファクタ（２０２０）が、ネットワーク接続の異なる部分接続要素の互いに関する減衰比を表すことと、
データ転送マージン（２０３０）が、異なるモデム・タイプについて最大データ・スループット・レートを決定するために決定され（３０３０）、ネットワーク接続（１２）の物理長（１３）およびケーブル厚さ（１４１、１４２、１４３、１４４）に割り当てられ、前記計算ユニット（３０）のデータ・キャリアに記憶され、前記モデム・タイプのパワー・スペクトルが、パワー測定装置（２０）によって測定され、実際の信号強度および対応する雑音レベルが、前記パワー・スペクトルに基づいて、計算ユニット（３０）によって判定され、事前確定ビット・レートの前記データ転送マージン（２０３０）が、異なるデータ伝送変調および／または変調符号化について、前記信号強度および前記雑音レベルに基づいてガウス変換モジュール（３１）によって決定されることと、
該実際の接続長、減衰分配ファクタ（２０２０）、および前記データ転送マージンに基づいて、分類されるネットワーク接続長が、計算ユニット（３０）によって最大データ・スループット・レートに対応して分類される（１０４０）こととを特徴とする方法。
【請求項２】
勾配ファクタおよび横座標が、前記計算ユニット（３０）によって距離ファクタ（２０１１）として決定され、空間距離と実際のネットワーク接続長との間の線形依存性が決定されることを特徴とする、請求項１に記載の方法。
【請求項３】
前記距離ファクタ（２０１１）が、少なくとも２次の多項式のパラメータとして、前記計算ユニット（３０）によって決定されることを特徴とする、請求項１に記載の方法。
【請求項４】
前記安全ファクタ（２０１２）を使用して、確率が、０．８５と０．９５の間で選択されることを特徴とする、請求項１乃至３のいずれか１項に記載の方法。
【請求項５】
前記安全ファクタ（２０１２）が、７００と８００の間の値を有することを特徴とする、請求項１乃至４のいずれか１項に記載の方法。
【請求項６】
減衰分配ファクタ（２０２０）によって、前記減衰の互いに関する線形依存性が決定されることを特徴とする、請求項１乃至５のいずれか１項に記載の方法。
【請求項７】
前記計算ユニット（３０）が、少なくとも１つの訂正ファクタによって、前記記憶データ転送マージン（２０３０）に基づいて、訂正データ転送マージンを決定し、ネットワーク接続（１２）のそれぞれの物理長（１３）およびケーブル・ワイヤ厚さ（１４１、１４２、１４３、１４４）に割り当て、前記計算ユニット（３０）のデータ・キャリアに記憶し、前記少なくとも１つの訂正ファクタが、前記実際のデータ転送マージンに対する前記記憶データ転送マージンの平均偏差および／または等化器調節を訂正する等化器ファクタを備えることを特徴とする、請求項１乃至６のいずれか１項に記載の方法。
【請求項８】
前記訂正ファクタが、前記物理長（１３）および／またはケーブル・ワイヤ厚さ（１４１、１４２、１４３、１４４）に関する非線形依存性を反映することを特徴とする、請求項７に記載の方法。
【請求項９】
前記雑音レベルが、少なくともクロストーク・パラメータおよび干渉源の数に応じて、計算ユニット（３０）によって前記パワー・スペクトルに基づいて決定されることを特徴とする、請求項１乃至８のいずれか１項に記載の方法。
【請求項１０】
前記パワー・スペクトルが、ＡＤＳＬおよび／またはＳＤＳＬおよび／またはＨＤＳＬおよび／またはＶＤＳＬのモデム・タイプ（１０１、１０２、１０３、１０４）について、伝送周波数に依存して測定されることを特徴とする、請求項１乃至９のいずれか１項に記載の方法。
【請求項１１】
前記可能なＳＤＳＬモデム・タイプ（１０１、１０２、１０３、１０４）が、少なくとも１つのＧ．９９１．２モデム・タイプを備え、および／またはＡＤＳＬモデム・タイプ（１０１、１０２、１０３、１０４）が、少なくとも１つのＧ．９９２．２モデム・タイプを備えることを特徴とする、請求項１０に記載の方法。
【請求項１２】
前記ガウス変換モジュール（３１）によって、前記データ転送マージンが、少なくとも前記伝送変調２Ｂ１Ｑおよび／またはＣＡＰおよび／またはＤＭＴおよび／またはＰＡＭについて決定されることを特徴とする、請求項１乃至１１のいずれか１項に記載の方法。
【請求項１３】
前記ガウス変換モジュール（３１）によって、前記データ転送マージンが、少なくともトレリス変調符号化について決定されることを特徴とする、請求項１乃至１２のいずれか１項に記載の方法。
【請求項１４】
ネットワーク接続を分類する方法であって、分類されるネットワーク接続（１２）の送信器（１０）および受信器（１１）の地理的座標が既知であり、
計算ユニット（３０）によって、ネットワーク接続の既知のデータ（５０００）に基づいて、１つまたは複数の距離ファクタ（２０１１）が決定され（３０１０）、決定可能な確率に割り当てられて、前記計算ユニット（３０）のデータ・キャリアに送信され、前記距離ファクタ（２０１１）が、空間距離に依存する実際のネットワーク接続長を表し、決定ネットワーク接続長が、実際のネットワーク長より短いかまたは長いかの前記決定可能な確率が、安全ファクタ（２０１２）によって確立されることと、
前記距離ファクタ（２０１０）、前記安全ファクタ（２０１２）、および分類される前記ネットワーク接続（１２）の前記送信器（１０）ならびに前記受信器（１１）の前記地理的座標に基づいて、実際のネットワーク接続長が、前記計算ユニット（３０）によって判定され（１０１０）、分類される前記ネットワーク接続（１２）に割り当てられ、前記計算ユニット（３０）のデータ・キャリアに送信されることと、
少なくとも１つの減衰分配ファクタ（２０２０）が、ネットワーク接続（３０２０）の既知のデータ（５０００）に基づいて決定され、前記計算ユニット（３０）のデータ・キャリアに送信され、前記少なくとも１つの減衰分配ファクタ（２０２０）が、ネットワーク接続の異なる部分接続要素の互いに関する減衰比を表すことと、
ビット・レート（２０３０）が、異なるモデム・タイプについて最大データ・スループット・レートを決定するために決定され、ネットワーク接続（１２）の物理長（１３）およびケーブル厚さ（１４１、１４２、１４３、１４４）に割り当てられ、前記計算ユニット（３０）のデータ・キャリアに記憶され、パワー・スペクトルが、パワー測定装置（２０）によって前記モデム・タイプについて測定され、実際の信号強度および対応する雑音レベルが、前記パワー・スペクトルに基づいて計算ユニット（３０）によって判定され、事前確定データ転送マージンの前記ビット・レート（２０３０）が、異なるデータ伝送変調および／または変調符号化について、前記信号強度および雑音レベルに基づいて、ガウス変換モジュール（３１）によって決定されることと、
該実際のネットワーク接続長、減衰分配ファクタ（２０２０）、および前記データ転送マージン（２０３０）に基づいて、分類される前記ネットワーク接続が、最大データ・スループット・レートに従って計算ユニット（３０）によって分類される（１０４０）こととを特徴とする方法。
【請求項１５】
勾配ファクタおよび横座標が、前記計算ユニット（３０）によって距離ファクタ（２０１１）として決定され、空間距離と実際のネットワーク接続長との間の線形依存性が決定されることを特徴とする、請求項１４に記載の方法。
【請求項１６】
前記計算ユニット（３０）によって、前記距離ファクタ（２０１１）が、少なくとも２次の多項式のパラメータとして決定されることを特徴とする、請求項１４に記載の方法。
【請求項１７】
前記安全ファクタ（２０１２）を使用して、０．８５と０．９５の間の確率が選択されることを特徴とする、請求項１４乃至１６のいずれか１項に記載の方法。
【請求項１８】
前記安全ファクタ（２０１２）が、７００と８００の間の値を有することを特徴とする、請求項１４乃至１７のいずれか１項に記載の方法。
【請求項１９】
３ｄＢと９ｄＢの間のデータ転送マージンの前記ビット・レートが、前記ガウス変換モジュール（３１）によって決定されることを特徴とする、請求項１４乃至１８のいずれか１項に記載の方法。
【請求項２０】
６ｄＢデータ転送マージンの前記ビット・レートが、前記ガウス変換モジュール（３１）によって決定されることを特徴とする、請求項１４乃至１８のいずれか１項に記載の方法。
【請求項２１】
前記計算ユニット（３０）が、少なくとも１つの訂正ファクタによって、前記記憶ビット・レート（２０３）に基づいて、訂正ビット・レートを決定し、前記ネットワーク接続（１２）のそれぞれの物理長（１３）およびケーブル・ワイヤ厚さ（１４１、１４２、１４３、１４４）に割り当て、前記計算ユニット（３０）のデータ・キャリアに記憶し、前記訂正ファクタが、前記実際のビット・レートに関する前記記憶ビット・レートの平均偏差および等化器調節を訂正する等化器ファクタを備えることを特徴とする、請求項１４乃至２０のいずれか１項に記載の方法。
【請求項２２】
前記少なくとも１つの訂正ファクタが、前記物理長（１３）および／またはケーブル・ワイヤ厚さ（１４１、１４２、１４３、１４４）に関する非線形依存性を反映することを特徴とする、請求項２１に記載の方法。
【請求項２３】
前記雑音レベルが、少なくともクロストーク・パラメータおよび干渉源の数に応じて、計算ユニット（３０）によって前記パワー・スペクトルに基づいて決定されることを特徴とする、請求項１４乃至２２のいずれか１項に記載の方法。
【請求項２４】
前記パワー・スペクトルが、ＡＤＳＬおよび／またはＳＤＳＬおよび／またはＨＤＳＬおよび／またはＶＤＳＬのモデム・タイプ（１０１、１０２、１０３、１０４）の伝送周波数に従って測定されることを特徴とする、請求項１４乃至２３のいずれか１項に記載の方法。
【請求項２５】
可能なＳＤＳＬモデム・タイプ（１０１、１０２、１０３、１０４）が、少なくとも１つのＧ．９９１．２モデム・タイプを備え、および／または前記ＡＤＳＬモデム・タイプ（１０１、１０２、１０３、１０４）が、少なくとも１つのＧ．９９２．２モデム・タイプを備えることを特徴とする、請求項２４に記載の方法。
【請求項２６】
少なくとも前記データ伝送変調２Ｂ１Ｑおよび／またはＣＡＰおよび／またはＤＭＴおよび／またはＰＡＭの前記ビット・レートが、前記ガウス変換モジュール（３１）によって決定されることを特徴とする、請求項１４乃至２５のいずれか１項に記載の方法。
【請求項２７】
少なくともトレリス変調符号化の前記ビット・レートが、前記ガウス変換モジュール（３１）によって決定されることを特徴とする、請求項１４乃至２６のいずれか１項に記載の方法。
【請求項２８】
ネットワーク接続を分類する装置であって、分類されるネットワーク接続（１２）の送信器（１０）および受信器（１１）の地理的座標が既知であり、
該装置が、ネットワーク接続の既知のデータ（５０００）に基づいて、決定可能な確率の１つまたは複数の距離ファクタ（２０１１）を決定および記憶する計算ユニット（３０）を備え、前記距離ファクタ（２０１１）が、空間距離に依存する実際のネットワーク接続長を表し、決定ネットワーク接続長が実際のネットワーク長より短いかまたは長いかの前記決定可能な確率が、安全ファクタ（２０１２）によって確立されることと、
前記計算ユニット（３０）が、ネットワーク接続の既知のデータ（５０００）に基づいて、少なくとも１つの減衰分配ファクタ（２０２０）を決定および記憶する手段を備え、前記少なくとも１つの減衰分配ファクタ（２０２０）が、ネットワーク接続（１２）の異なる部分接続要素の互いに関する減衰比を表すことと、
該装置が、異なるモデム・タイプのパワー・スペクトルを測定するパワー測定装置（２０）と、前記パワー・スペクトルに基づいて、実際の信号強度および対応する雑音レベルを判定する手段（３０）と、ならびに、異なるデータ伝送変調および／または変調符号化ならびに事前確定ビット・レートについて、前記信号強度および前記雑音レベルに基づいてデータ転送マージン（２０３０）を決定および記憶するガウス変換モジュール（３１）とを備えることを特徴とする装置。